(57)【要約】【課題】  複数のカード型記録媒体間での撮影画像データの管理および編集を容易に行うことのできる画像データ管理装置を提供する。【解決手段】  撮影画像データを記録した記録媒体が着脱可能に接続され、前記記録媒体にデータを読み書き可能な記録媒体挿入部を複数備えたデータ読み出し手段と、各撮影画像データに含まれる撮影日時情報を取得して、前記データ読み出し手段の各記録媒体に記録された撮影画像データ群を撮影日時ごとに分類し、前記分類結果に基づいて前記記録媒体間で前記撮影画像データを移動させる制御部と、を有することを特徴とする。【選択図】  図１
2006092210.tif 000002
【特許請求の範囲】
【請求項１】
撮影画像データを記録した記録媒体が着脱可能に接続され、前記記録媒体にデータを読み書き可能な記録媒体挿入部を複数備えたデータ読み出し手段と、
各撮影画像データに含まれる撮影日時情報を取得して、前記データ読み出し手段の各記録媒体に記録された撮影画像データ群を撮影日時ごとに分類し、前記分類結果に基づいて前記記録媒体間で前記撮影画像データを移動させる制御部と、
を有することを特徴とする画像データ管理装置。
【請求項２】
前記制御部は、撮影日が同一である撮影画像データは同一の記録媒体にまとめて記録することを特徴とする請求項１に記載の画像データ管理装置。
【請求項３】
前記制御部は、撮影日が同一である撮影画像データをグループ化してフォルダを生成することを特徴とする請求項２に記載の画像データ管理装置。
【請求項４】
撮影画像データを記録した記録媒体が着脱可能に接続され、前記記録媒体にデータを読み書き可能な記録媒体挿入部を複数備えたデータ読み出し手段と、
複数の記録媒体から選択される特定記録媒体の撮影画像データを他の記録媒体に移動させて前記特定記録媒体の空き容量を最大化する制御部と、
を有することを特徴とする画像データ管理装置。
【請求項５】
前記制御部は各記録媒体の最大記録容量をそれぞれ検出し、最大記録容量が最も大きい記録媒体を特定記録媒体に選択することを特徴とする請求項４に記載の画像データ管理装置。
【請求項６】
前記制御部は各記録媒体の最大記録容量をそれぞれ検出し、最大記録容量が最も小さい記録媒体を特定記録媒体に選択して、前記特定記録媒体のすべての撮影画像データを他の記録媒体に移動させることを特徴とする請求項４に記載の画像データ管理装置。
【請求項７】
前記制御部は各記録媒体のデータ書込速度をそれぞれ検出し、データ書込速度が最も早い記録媒体を特定記録媒体に選択することを特徴とする請求項４に記載の画像データ管理装置。
【請求項８】
前記制御部は各記録媒体挿入部に優先順位を設定し、優先順位が高い記録媒体挿入部の記録媒体から順次特定記録媒体を選択して、優先順位が低い記録媒体挿入部の記録媒体に撮影画像データを移動させて、優先順位の高い記録媒体挿入部の記録媒体から順次空き容量を最大化することを特徴とする請求項４に記載の画像データ管理装置。
【請求項９】
前記制御部は、各撮影画像データに含まれる撮影日時情報を取得して、前記データ読み出し手段の各記録媒体に記録された撮影画像データ群を撮影日時ごとに分類し、前記分類結果に基づいて前記記録媒体間で前記撮影画像データを移動させることを特徴とする請求項４から請求項８のいずれか１項に記載の画像データ管理装置。
【請求項１０】
前記制御部は、前記撮影画像データが撮影日時順に配列されるように前記撮影画像データを前記記録媒体間で移動させることを特徴とする請求項１、２、３、９のいずれか１項に記載の画像データ管理装置。
【請求項１１】
撮影画像データを記録した記録媒体が着脱可能に接続され、前記記録媒体にデータを読み書き可能な記録媒体挿入部を複数備えたデータ読み出し手段と、
前記データ読み出し手段の各記録媒体に記録された撮影画像データ群から撮影画像データをプリント指定し、該プリント指定に関するプリント指定ファイルを生成するプリント設定部と、
前記記録媒体間で前記撮影画像データを複写し、プリント指定されている撮影画像データと前記プリント指定ファイルとを同一のプリント用記録媒体に記録する制御部と、
を有することを特徴とする画像データ管理装置。
【請求項１２】
前記プリント用記録媒体を接続するコネクタが、前記データ読み出し手段と別個に設けられていることを特徴とする請求項１１に記載の画像データ管理装置。
【請求項１３】
前記制御部は、前記撮影画像データの移動時に撮影画像データのファイル名を付け直すことを特徴とする請求項１から請求項１２のいずれか１項に記載の画像データ管理装置。
【請求項１４】
前記制御部は、前記画像データ管理装置の電源オフ操作を前記撮影画像データの移動時に不能化することを特徴とする請求項１から請求項１３のいずれか１項に記載の画像データ管理装置。
【請求項１５】
前記データ読み出し手段を構成する記録媒体挿入部が２以上のグループに区分され、
前記制御部は、同一グループの記録媒体挿入部の記録媒体間で前記撮影画像データの移動を実行することを特徴とする請求項１から請求項１４のいずれか１項に記載の画像データ管理装置。
【請求項１６】
表示画面を備えたモニタ装置に出力を行う表示インターフェースと、
撮影画像データを記録した記録媒体が着脱可能に接続され、前記記録媒体からデータを読み出し可能な記録媒体挿入部を複数備えたデータ読み出し手段と、
各撮影画像データに含まれる撮影日時情報を取得して、前記データ読み出し手段の各記録媒体に記録された撮影画像データ群の再生画像を撮影日時順に前記モニタ装置に表示する再生モードを実行する制御部と、
を有することを特徴とする画像データ管理装置。
【請求項１７】
前記データ読み出し手段を構成する記録媒体挿入部が２以上のグループに区分され、
前記制御部は、同一グループの記録媒体挿入部の記録媒体間で前記撮影画像データの順次再生を実行することを特徴とする請求項１６に記載の画像データ管理装置。
【発明の詳細な説明】
【技術分野】
【０００１】
本発明は、複数のカード型記録媒体間に記録された撮影画像データを編集する画像データ管理装置に関する。
【背景技術】
【０００２】
近年、撮像素子で撮影した被写体像の撮影画像データを半導体メモリ等のカード型記録媒体に記録する電子カメラが急速に普及しつつある。電子カメラのユーザーは、パーソナルコンピュータ等に撮影画像データを転送して撮影画像データの管理・保存を行うのが一般的であるが、近年ではカード型記録媒体を最終的な保存メディアとして利用しているユーザーも増加している。そして、上記のようにカード型記録媒体で撮影画像データを管理するユーザー等を対象として、カード型記録媒体から撮影画像データを読み出して再生表示する画像再生装置も公知である（特許文献１および特許文献２参照）。
【特許文献１】特開２００２−１３２７７６号公報
【特許文献２】特開２００３−３４６０８９号公報
【発明の開示】
【発明が解決しようとする課題】
【０００３】
しかし、上記特許文献１および特許文献２の画像再生装置においても、所持するカード型記録媒体が増加すれば撮影画像データの編集および管理は非常に煩雑となる。例えば、複数のカメラを同時に携帯する場合や複数のカード型記録媒体を交互に使用した場合などでは複数のカード型記録媒体間で撮影日時が錯綜するので、撮影画像データの編集および管理が困難となることも多い。また、カード型記録媒体を最終的な保存メディアとして利用すると、各カード型記録媒体で空き容量が残ったままになることも多く、カード型記録媒体のメモリが有効に活用されていないというのが実情であった。
【０００４】
さらに近年では、ＤＰＯＦ（Digital Print Order Format）システムが提案されて実用化されている。これは、プリントアウトしたい撮影画像データを予めデジタルカメラ等で指定しておき、カード型記録媒体を専用のプリンタに差し替えて指定された静止画を自動的にプリントアウトするというものである。しかし、従来のカードビューアではＤＰＯＦでの印刷指定は可能であるものの、印刷指定する撮影画像データが複数のカード型記録媒体に跨っている場合には各カード型記録媒体ごとにＤＰＯＦファイルを生成する。そのため、従来ではＤＰＯＦで印刷指定したカード型記録媒体をすべて店頭に持ってゆくか、あるいは印刷指定する撮影画像データを１枚のカード型記録媒体に編集してから印刷指定しなければならないため煩雑であった。
【０００５】
本発明は上記従来技術の課題を解決するためのものであって、その目的は、カード型記録媒体で撮影画像データを管理するユーザーが、複数のカード型記録媒体間での撮影画像データの管理および編集を容易に行うことのできる画像データ管理装置を提供することである。
【課題を解決するための手段】
【０００６】
請求項１の発明に係る画像データ管理装置は、撮影画像データを記録した記録媒体が着脱可能に接続され、前記記録媒体にデータを読み書き可能な記録媒体挿入部を複数備えたデータ読み出し手段と、各撮影画像データに含まれる撮影日時情報を取得して、前記データ読み出し手段の各記録媒体に記録された撮影画像データ群を撮影日時ごとに分類し、前記分類結果に基づいて前記記録媒体間で前記撮影画像データを移動させる制御部と、を有することを特徴とする。
【０００７】
請求項２の発明は、請求項１の発明において、前記制御部は、撮影日が同一である撮影画像データは同一の記録媒体にまとめて記録することを特徴とする。
請求項３の発明は、請求項２の発明において、前記制御部は、撮影日が同一である撮影画像データをグループ化してフォルダを生成することを特徴とする。
請求項４の発明に係る画像データ管理装置は、撮影画像データを記録した記録媒体が着脱可能に接続され、前記記録媒体にデータを読み書き可能な記録媒体挿入部を複数備えたデータ読み出し手段と、複数の記録媒体から選択される特定記録媒体の撮影画像データを他の記録媒体に移動させて前記特定記録媒体の空き容量を最大化する制御部と、を有することを特徴とする。
【０００８】
請求項５の発明は、請求項４の発明において、前記制御部は各記録媒体の最大記録容量をそれぞれ検出し、最大記録容量が最も大きい記録媒体を特定記録媒体に選択することを特徴とする。
請求項６の発明は、請求項４の発明において、前記制御部は各記録媒体の最大記録容量をそれぞれ検出し、最大記録容量が最も小さい記録媒体を特定記録媒体に選択して、前記特定記録媒体のすべての撮影画像データを他の記録媒体に移動させることを特徴とする。
【０００９】
請求項７の発明は、請求項４の発明において、前記制御部は各記録媒体のデータ書込速度をそれぞれ検出し、データ書込速度が最も早い記録媒体を特定記録媒体に選択することを特徴とする。
請求項８の発明は、請求項４の発明において、前記制御部は各記録媒体挿入部に優先順位を設定し、優先順位が高い記録媒体挿入部の記録媒体から順次特定記録媒体を選択して、優先順位が低い記録媒体挿入部の記録媒体に撮影画像データを移動させて、優先順位の高い記録媒体挿入部の記録媒体から順次空き容量を最大化することを特徴とする。
【００１０】
請求項９の発明は、請求項４から請求項８の発明において、前記制御部は、各撮影画像データに含まれる撮影日時情報を取得して、前記データ読み出し手段の各記録媒体に記録された撮影画像データ群を撮影日時ごとに分類し、前記分類結果に基づいて前記記録媒体間で前記撮影画像データを移動させることを特徴とする。
請求項１０の発明は、請求項１、２、３、９の発明において、前記制御部は、前記撮影画像データが撮影日時順に配列されるように前記撮影画像データを前記記録媒体間で移動させることを特徴とする。
【００１１】
請求項１１の発明に係る画像データ管理装置は、撮影画像データを記録した記録媒体が着脱可能に接続され、前記記録媒体にデータを読み書き可能な記録媒体挿入部を複数備えたデータ読み出し手段と、前記データ読み出し手段の各記録媒体に記録された撮影画像データ群から撮影画像データをプリント指定し、該プリント指定に関するプリント指定ファイルを生成するプリント設定部と、前記記録媒体間で前記撮影画像データを複写し、プリント指定されている撮影画像データと前記プリント指定ファイルとを同一のプリント用記録媒体に記録する制御部と、を有することを特徴とする。
【００１２】
請求項１２の発明は、請求項１１の発明において、前記プリント用記録媒体を接続するコネクタが、前記データ読み出し手段と別個に設けられていることを特徴とする。
請求項１３の発明は、請求項１から請求項１２の発明において、前記制御部は、前記撮影画像データの移動時に撮影画像データのファイル名を付け直すことを特徴とする。
請求項１４の発明は、請求項１から請求項１３の発明において、前記制御部は、前記画像データ管理装置の電源オフ操作を前記撮影画像データの移動時に不能化することを特徴とする。
【００１３】
請求項１５の発明は、請求項１から請求項１４の発明において、前記データ読み出し手段を構成する記録媒体挿入部が２以上のグループに区分され、前記制御部は、同一グループの記録媒体挿入部の記録媒体間で前記撮影画像データの移動を実行することを特徴とする。
請求項１６の発明に係る画像データ管理装置は、表示画面を備えたモニタ装置に出力を行う表示インターフェースと、撮影画像データを記録した記録媒体が着脱可能に接続され、前記記録媒体からデータを読み出し可能な記録媒体挿入部を複数備えたデータ読み出し手段と、各撮影画像データに含まれる撮影日時情報を取得して、前記データ読み出し手段の各記録媒体に記録された撮影画像データ群の再生画像を撮影日時順に前記モニタ装置に表示する再生モードを実行する制御部と、を有することを特徴とする。
【００１４】
請求項１７の発明は、請求項１６の発明において、前記データ読み出し手段を構成する記録媒体挿入部が２以上のグループに区分され、前記制御部は、同一グループの記録媒体挿入部の記録媒体間で前記撮影画像データの順次再生を実行することを特徴とする。
ここで、本発明の「記録媒体」は撮影画像データを記録しうるものであって、例えば、電子カメラで一般的に使用される書き換え可能のカード型記録媒体（不揮発性の半導体メモリやマイクロドライブ等）が特に好ましい。しかし、本発明の「記録媒体」はカード型記録媒体に限定されることなく、例えば、磁気テープ、磁気ディスク、光磁気ディスク、光ディスクなど、他の公知の記録媒体であってもよい。
【００１５】
（作用）
請求項１の発明では、制御部は、データ読み出し手段の各記録媒体に記録された撮影画像データ群を撮影日時ごとに分類し、分類結果に基づいて記録媒体間で撮影画像データを移動させる。そのため、複数のカード型記録媒体間で撮影日が錯綜している場合でも、撮影日を基準に撮影画像データを整理して管理することができる。
【００１６】
請求項２の発明では、制御部は撮影日が同一である撮影画像データは同一の記録媒体にまとめて記録する。そのため、撮影画像データの管理が容易となる。
請求項３の発明では、制御部は撮影日が同一である撮影画像データをグループ化してフォルダを生成する。そのため、撮影日が同一の撮影画像データを管理するのがより容易となる。
【００１７】
請求項４の発明では、制御部が複数の記録媒体から選択される特定記録媒体の撮影画像データを他の記録媒体に移動させて特定記録媒体の空き容量を最大化する。そのため、複数のカード型記録媒体の容量を有効に利用できるとともに、ユーザーは空き容量の大きい記録媒体を携帯して撮影を行うことができる。
請求項５の発明では、制御部は最大記録容量が最も大きい記録媒体を特定記録媒体に選択する。そのため、最大記録容量が最も大きい記録媒体の空き容量が最大化されて、ユーザーが撮影に携帯する記録媒体の容量をより多く確保しうる。
【００１８】
請求項６の発明では、制御部は最大記録容量が最も小さい記録媒体を特定記録媒体に選択して、特定記録媒体のすべての撮影画像データを他の記録媒体に移動させる。そのため、記録媒体挿入部がすべて塞がっている場合に、特定記録媒体をより最大記録容量の大きい記録媒体に差し替えることができる。
請求項７の発明では、制御部はデータ書込速度が最も早い記録媒体を特定記録媒体に選択する。そのため、データ書込速度が最も早い記録媒体の空き容量が最大化されて、ユーザーは記録速度の速い記録媒体を携帯して撮影を行うことができる。
【００１９】
請求項８の発明では、制御部は各記録媒体挿入部に優先順位を設定し、優先順位の高い記録媒体挿入部の記録媒体から順次空き容量を最大化する。そのため、優先順位の低い記録媒体挿入部の記録媒体に画像データが詰めて記録され、カード型記録媒体の容量を有効に利用できる。
請求項９の発明では、制御部は、データ読み出し手段の各記録媒体に記録された撮影画像データ群を撮影日時ごとに分類し、分類結果に基づいて記録媒体間で撮影画像データを移動させる。そのため、特定記録媒体の空き容量の最大化の際に、撮影日を基準に撮影画像データを整理できる。
【００２０】
請求項１０の発明では、制御部は撮影画像データが撮影日時順に配列されるように記録媒体間で撮影画像データを移動させるので、撮影日時順に撮影画像データを入れ替える整理が容易となる。
請求項１１の発明では、プリント設定部が撮影画像データ群から撮影画像データをプリント指定し、該プリント指定に関するプリント指定ファイルを生成する。制御部は、記録媒体間で撮影画像データを複写し、プリント指定されている撮影画像データとプリント指定ファイルとを同一のプリント用記録媒体に記録する。そのため、プリント指定する撮影画像データが複数の記録媒体に跨っている場合でも、店頭に提出する記録媒体を１つにまとめることができる。
【００２１】
請求項１２の発明では、プリント用記録媒体を接続するコネクタが、データ読み出し手段と別個に設けられているので、プリント用記録媒体と他の記録媒体とを混同することがなくなる。
請求項１３の発明では、制御部は、撮影画像データの移動時にファイル名を付け直すので、同一名称の撮影画像ファイルがある場合にデータの移動による上書き消去が防止される。
【００２２】
請求項１４の発明では、制御部は、画像データ管理装置の電源オフ操作を撮影画像データの移動時に不能化するので、データの移動中の電源オフによって撮影画像データが誤消去される可能性が抑制される。
請求項１５の発明では、データ読み出し手段を構成する記録媒体挿入部が２以上のグループに区分され、同一グループ内での撮影画像データの移動が実行されるので、グループ毎にカード型記録媒体を管理することが可能となる。
【００２３】
請求項１６の発明では、制御部は、データ読み出し手段の各記録媒体に記録された撮影画像データ群の再生画像を撮影日時順にモニタ装置に表示する再生モードを実行する。そのため、複数のカード型記録媒体間で撮影日が錯綜している場合でも、撮影日時順に撮影画像データを再生して視聴することができる。
請求項１７の発明では、データ読み出し手段を構成する記録媒体挿入部が２以上のグループに区分され、グループ毎に撮影画像データの順次再生を実行することができる。
【発明の効果】
【００２４】
本発明によれば、複数のカード型記録媒体間で撮影画像データを移動させることで、日付順での撮影画像データの整理や、カード型記録媒体の空き容量の最大化や、プリント用記録媒体の記録媒体の生成などを容易に行うことができる。
【発明を実施するための最良の形態】
【００２５】
以下、図面に基づいて本発明の実施形態を詳細に説明する。
（本実施形態の画像データ管理装置の構成）
図１は本実施形態の画像データ管理装置のブロック図であって、図２は本実施形態の画像データ管理装置の外観を示す斜視図である。本実施形態の画像データ管理装置１はテレビ２などに接続される。そして、画像データ管理装置１は、公知のカード型記録媒体３（半導体メモリ、マイクロドライブなど）から電子カメラで撮影した撮影画像データを読み出して、再生画像をテレビ２に表示したり、カード型記録媒体間で撮影画像データを編集するものである。
【００２６】
本実施形態の画像データ管理装置１は、複数のカードスロット４と、画像処理部６と、バッファメモリ７と、表示インターフェース８と、ＵＳＢインターフェース９と、操作部１０と、カード用表示部１１と、前面表示パネル１２と、各部を接続するデータバス１４と、制御部１５と、ＤＰＯＦ用メモリスロット２０とを有している。
カードスロット４は画像データ管理装置１の筐体上面に前後３基ずつ合計６基が設けられている。各カードスロット４にはカード型記録媒体３が着脱可能に接続される。カードスロット４内にはデータバス１４と接続されている電気接点（図示を省略する）が形成されており、該電気接点を介してカード型記録媒体３と画像データ管理装置１との間でデータの読み書きが行われる。
【００２７】
また、画像データ管理装置１の筐体上面にはカードスロット４の後側にダミースロット１６が複数形成されている（図２参照）。このダミースロット１６はカード型記録媒体３を挿して保管するためのカードスタンドであって、データの読み書き機能は有していない。なお、カード型記録媒体３の識別性を高めるために、カードスロット４およびダミースロット１６の挿入深さは、カード型記録媒体３の挿入状態において貼付したラベルが視認できる深さに設定されている。
【００２８】
画像処理部６は圧縮伸長回路等を有する画像処理用ＡＳＩＣである。画像処理部６は、カードスロット４のカード型記録媒体３から読み出した撮影画像データに基づいて再生画像の画像信号をテレビ２に出力する。
バッファメモリ７は、画像処理部６の処理中や後述する画像データの移動処理中に画像データを一時退避させたり、装置の各種設定内容を保存するためのメモリである。また、バッファメモリ７には、後述の編集用データなどが記録される。
【００２９】
表示インターフェース８は画像処理部６の画像信号を表示装置であるテレビ２に出力するためのインターフェースである。この表示インターフェース８は、例えば、コンポジット映像端子、セパレート映像端子、コンポーネント映像端子、Ｄ映像端子などの公知の映像出力端子を有している。なお、本実施形態では表示インターフェース８の各映像出力端子は画像データ管理装置１の筐体背面側（図示を省略する）に形成されている。
【００３０】
ＵＳＢインターフェース９は、画像データ管理装置１に接続された周辺機器（例えば、フォトプリンタ等）とのデータ送受信をＵＳＢ（Universal Serial Bus）の通信規格に準拠して制御する。なお、本実施形態ではＵＳＢインターフェース９のＵＳＢ接続端子は画像データ管理装置１の筐体背面側に形成されている。
操作部１０は、筐体前面に配置されたスライドショーボタン１０ａ、プリントボタン１０ｂ、削除ボタン１０ｃ、カーソルキー１０ｄおよび電源ボタン１０ｅと、筐体上面に配置されている６つの再生ボタン１０ｆとを有している。
【００３１】
スライドショーボタン１０ａは、現在接続されているカード型記録媒体３の撮影画像データをスライドショー表示するためのボタンである。プリントボタン１０ｂは、現在再生中の画像の印刷指示や、プリント指定ファイルの生成を指示するためのボタンである。削除ボタン１０ｃは、現在再生中の画像の撮影画像データの削除を指示するためのボタンである。カーソルキー１０ｄは、設定モードで画面表示されるカーソルを移動させる場合等に使用される。また、再生ボタン１０ｆは各カードスロット４にそれぞれ対応付けられて配置され、各カードスロット４に装着されたカード型記録媒体３の画像をそれぞれ再生表示させるために使用される。
【００３２】
カード用表示部１１はアクセスランプ１１ａおよび液晶表示部１１ｂのセットで構成されている。このカード用表示部１１は筐体上面の各カードスロット４近傍に６組配置され、各カード用表示部１１がそれぞれ各カードスロット４に対応している。
アクセスランプ１１ａはカードスロット４にカード型記録媒体３が挿入されている状態で点灯し、カード型記録媒体３の読み書き時には点滅するようになっている。また、アクセスランプ１１ａはカード型記録媒体３の空き容量に応じて点灯時の色が変化するようになっている。したがって、ユーザーは所定の空き容量を有するカード型記録媒体３を一目で識別することができる。
【００３３】
一方、液晶表示部１１ｂには、カード型記録媒体３の最大記録容量および現在の記録量と、そのカード型記録媒体３中での最も新しい撮影日が表示される。また、後述のように、カードスロット４を２以上のグループで区分した場合には、液晶表示部１１ｂにカードスロット４のグループ名が表示される。さらに、液晶表示部１１ｂには、再生ボタン１０ｆによる再生表示の場合に、表示中の再生画像の番号とカード型記録媒体３に記録されている撮影画像データの総数（撮影画像のファイルの数）とが表示される（図３参照）。
【００３４】
前面表示パネル１２は筐体前面に配置された液晶表示部であって、スライドショーボタン１０ａによるスライドショー表示の場合に、表示中の再生画像の番号と再生画像の総数とが表示される。
制御部１５は、撮影画像データの再生およびプリント指定を行う「再生・プリント指定モード」や、カードスロット４間で撮影画像データの移動を行う「カード編集モード」や、カードスロット４のグループ化や優先順位設定などの各種設定を行う「設定モード」等において、装置の各部動作を制御する。
【００３５】
また、制御部１５は、カードスロット４に装着され、データバス１４に接続されているカード型記録媒体３からデータを読み出して、編集用データを生成してバッファメモリ７に記録する。編集用データには、カード型記録媒体３が接続されているカードスロット番号と、各撮影画像データの情報（ファイル名、ディレクトリパスに関する情報（フォルダ名）、撮影日時およびデータ量など）とが含まれている（図４参照）。また、制御部１５は、接続中のカード型記録媒体３の最大記録容量もバッファメモリ７に記録する。なお、制御部１５は、カード型記録媒体３のカードスロット４からの取り外しを検出すると、取り外されたカード型記録媒体３に対応する編集用データ等をバッファメモリ７から削除する。
【００３６】
さらに、制御部１５は、ユーザーの設定に基づいて６基のカードスロット４を複数のグループに分割し、各グループ単位で撮影画像データの移動、編集、順次再生などを制御することができる。
ＤＰＯＦ用メモリスロット２０は画像データ管理装置１の筐体背面側に形成され、上記のカードスロット４と同様に構成されている。ＤＰＯＦ用メモリスロット２０に装着されたカード型記録媒体３には、プリント指定ファイルと、プリント指定された撮影画像データとが記録される。
【００３７】
（本実施形態の画像データ管理装置の動作）
以下、本実施形態の画像データ管理装置の動作を説明する。
まず、カード型記録媒体３をカードスロット４に挿入すると、制御部１５は挿入されたカード型記録媒体３の編集用データを生成してバッファメモリ７に記録する。なお、制御部１５は取り外されたカード型記録媒体３に対応する編集用データを削除するので、バッファメモリ７の編集用データは現在接続されているカード型記録媒体３に対応する。
【００３８】
また、カード型記録媒体３の接続時には、制御部１５はカード型記録媒体３の最大記録容量、空き容量、最も新しい撮影日をカード型記録媒体３から読み出して、これらの情報をカード用表示部１１に表示する。
さらに、本実施形態の画像データ管理装置では、各カードスロット４の２以上のグループに区分し、カード型記録媒体の再生、編集等を各グループごとに独立して行うことができる。すなわち、カードスロット４のグループ設定がある場合には、制御部１５は各グループ毎に編集用データを管理する。そして、後述の「再生・プリント指定モード」でのスライドショー表示や、「カード編集モード」での撮影画像データの移動は同一グループ間でのみ実行されることとなる。かかるグループ設定により、例えば、複数人で１台の画像データ管理装置を共用して撮影画像データを管理することも可能となる。
【００３９】
（「再生・プリント指定モード」での動作）
上記の「再生・プリント指定モード」で再生ボタン１０ｆを押すと、制御部１５はカードスロット４のカード型記録媒体３から撮影画像データを読み出して、テレビ２に再生画像を順次表示する。あるいは、制御部１５は再生ボタン１０ｆの入力により撮影画像データのサムネイル画像を一覧表示してもよい。したがって、ユーザーは再生ボタンを押すことで、そのカード型記録媒体３にどのような撮影画像データが記録されているかを容易に把握することができる。
【００４０】
また、上記の「再生・プリント指定モード」でスライドショーボタン１０ａを押すと、制御部１５は撮影日時順に編集用データをソートし、編集用データに基づいて各カードスロット４に装着された複数のカード型記録媒体３から撮影日時順に各撮影画像データを読み込み、表示インターフェース８を介してテレビ２に順次再生表示する。したがって、旅行や結婚式などの撮影を複数の電子カメラで行った場合に、異なる電子カメラで撮影した撮影画像データ群を時系列に沿って視聴することができる。
【００４１】
このスライドショーでは、制御部１５は編集用データに基づいて、再生中の撮影画像データに関する情報（記録先のカードスロット４を示す表示、撮影画像データのファイル名および撮影日時など）を再生画像とともにテレビ２に表示させることもできる。なお、上記のスライドショーでは、表示中の再生画像の番号と撮影画像データの総数とが前面表示パネル１２に表示される。
【００４２】
さらに、「再生・プリント指定モード」では、所定の操作で撮影画像データのプリント指定を行うことができる。ここで、図５は撮影画像データのプリント指定時の一連の動作を示す流れ図である。
撮影画像データの再生時においてプリント指定がされるごとに、制御部１５はプリント指定された撮影画像データの画像番号とプリント枚数などの対応関係をバッファメモリ７に記録する（Ｓ１０１）。なお、別々のカードスロット４に装着されているカード型記録媒体３に記録されている撮影画像データをまとめてプリント指定することも可能である。そして、制御部１５はプリント指定ファイルの作成指示（例えば、プリントボタン１０ｂの入力など）を待機する（Ｓ１０２）。
【００４３】
プリント指定ファイルの作成指示があった場合（Ｓ１０２のＹＥＳ側）には、制御部１５はバッファメモリ７のデータを読み出して、プリント指定された撮影画像データを当該撮影画像データの記録されているカード型記録媒体３からＤＰＯＦ用メモリスロット２０のカード型記録媒体３にコピーする（Ｓ１０３）。そして、制御部１５はＤＰＯＦ用メモリスロット２０に装着されているカード型記録媒体３（プリント用記録媒体）にプリント指定ファイルを生成する（Ｓ１０４）。なお、プリント指定ファイルはＤＰＯＦ規格に準拠して生成され、プリント指定された撮影画像データのファイル名、撮影日時およびプリント枚数等のデータがテキスト形式で記述される。
【００４４】
本実施形態では、プリント指定された撮影画像データが複数のカードスロット４に分散している場合でも、ＤＰＯＦによる印刷注文時に店頭に持参するカード型記録媒体を１枚にまとめることができる。また、プリント用記録媒体を接続するＤＰＯＦ用メモリスロット２０はカードスロット４とは独立しているので、ユーザーがプリント用記録媒体と他の記録媒体と容易に識別できる。
【００４５】
（「カード編集モード」での動作）
一方、「カード編集モード」では、制御部１５は「撮影日時順での画像データの整理」または「空きカードの作成」を実行する。この「カード編集モード」では、異なる撮影画像データ間でファイル名が重複している場合に上書き消去されるおそれもあるため、制御部１５は撮影画像データの移動時に撮影画像データのファイル名を付け替える。また、「カード編集モード」では、電源の遮断による撮影画像データの誤消去を防止するために、制御部１５は撮影画像データの移動時には電源ボタン１０ｅによる電源オフを不能化し、撮影画像データの移動終了時に電源を遮断するようになっている。
【００４６】
「撮影日時順での画像データの整理」の場合には、制御部１５は複数のカード型記録媒体３間で撮影画像データが撮影日時順に配列されるように、カード型記録媒体３間で撮影画像データを移動させる。したがって、旅行や結婚式などの撮影を複数の電子カメラで行った場合に、異なる電子カメラで撮影した撮影画像データ群を時系列に沿って整理して保存することができる。ここで、図６は「撮影日時順での画像データの整理」での一連の動作を示す流れ図である。
【００４７】
まず、制御部１５は撮影日時順に編集用データをソートし、編集用データ上で撮影画像データを撮影日ごとに分類する（Ｓ２０１）。次に、制御部１５は、撮影日ごとに分類された撮影画像データのデータ量と各カード型記録媒体３の記録容量とに基づいて、撮影日単位で撮影画像データの記録先を決定する（Ｓ２０２）。
具体的には、制御部１５は各カードスロット４に優先順位を参照し、優先順位の高いカードスロット４のカード型記録媒体３から撮影画像データの記録先を割り当てる。制御部１５は同一のカード型記録媒体３に撮影日時が連続するように撮影画像データの記録先を割り当て、次の撮影日の撮影画像データがまとめて記録できない場合には、次の優先順位のカード型記録媒体３に記録先を割り当てる。このようにして、優先順位の高いカード型記録媒体３から撮影日順に撮影画像データの記録先が決定される。
【００４８】
そして、制御部１５は各カード型記録媒体３に撮影日フォルダをそれぞれ生成し（Ｓ２０３）、各撮影画像データを割り当てられた記録先の撮影日フォルダに移動させる（Ｓ２０４）。以上で「撮影日時順での画像データの整理」が終了する。
「空きカードの作成」の場合には、制御部１５は特定記録媒体の撮影画像データを他のカード型記録媒体３に移動させて、特定記録媒体の空き容量を最大化する。したがって、ユーザーは空き容量の大きなカード型記録媒体３を常に使用でき、複数のカード型記録媒体間で空き容量を有効に利用できる。ここで、図７は「空きカードの作成」の第１例の動作を示す流れ図である。
【００４９】
制御部１５は、空き容量を最大化するカード型記録媒体３（特定記録媒体）を決定する（Ｓ３０１）。例えば、最大記録容量を優先する場合には、制御部１５は最大記録容量が一番大きいカード型記録媒体３を特定記録媒体に決定する。また、データ書込速度を優先する場合には、制御部１５は各カード型記録媒体３のデータ書込速度を検出して、最もデータ書込速度が早いカード型記録媒体３を特定記録媒体に決定する。
【００５０】
次に、制御部１５は各カードスロット４の優先順位を参照し、優先順位が一番低いカードスロット４の記録媒体をデータの移動先に選択する（Ｓ３０２）。そして、制御部１５は、特定記録媒体から移動させる撮影画像データのデータ量が、移動先のカード型記録媒体３の空き容量以下か否かを判定する（Ｓ３０３）。
データ量が空き容量以下の場合（Ｓ３０３のＹＥＳ側）には、制御部１５は特定記録媒体から移動先のカード型記録媒体３に撮影画像データを移動させる（Ｓ３０４）。その後、制御部１５は特定記録媒体に撮影画像データがあるか否かを判定する（Ｓ３０５）。撮影画像データがある場合（Ｓ３０５のＹＥＳ側）には、制御部１５はＳ３０３に戻って次の撮影画像データの移動を行う。撮影画像データがない場合（Ｓ３０５のＮＯ側）には、特定記録媒体の空き容量が最大化したので、制御部１５はデータの移動を終了する。
【００５１】
一方、データ量が空き容量を超える場合（Ｓ３０３のＮＯ側）には、制御部１５は、優先順位に基づいて次に移動先となる記録媒体が存在するか否かを判定する（Ｓ３０６）。次の移動先が存在する場合（Ｓ３０６のＹＥＳ側）には、制御部１５はデータの移動先を次のカードスロット４の記録媒体に変更し（Ｓ３０７）、Ｓ３０３に戻って撮影画像データの移動を続行する。一方、次の移動先が存在しない場合（Ｓ３０６のＮＯ側）には、特定記録媒体には撮影画像データが残っているが他のカード型記録媒体３に空き容量がないので、制御部１５はデータの移動を終了する。
【００５２】
図８は「空きカードの作成」の第２例の動作を示す流れ図である。図８の例では、カードスロット４に優先順位を設定し、優先順位の高いカードスロット４の記録媒体から順次空き容量が最大化される。
制御部１５は各カードスロット４の優先順位を参照して、優先順位が一番高いカードスロット４の記録媒体を特定記録媒体に決定する。また、制御部１５は優先順位が一番低いカードスロット４の記録媒体をデータの移動先に選択する（Ｓ４０１）。
【００５３】
そして、制御部１５は、特定記録媒体から移動させる撮影画像データのデータ量が、移動先のカード型記録媒体３の空き容量以下か否かを判定する（Ｓ４０２）。
データ量が空き容量以下の場合（Ｓ４０２のＹＥＳ側）には、特定記録媒体から移動先のカード型記録媒体３に撮影画像データを移動させる（Ｓ４０３）。その後、制御部１５は特定記録媒体に撮影画像データがあるか否かを判定する（Ｓ４０４）。撮影画像データがある場合（Ｓ４０４のＹＥＳ側）には、制御部１５はＳ４０２に戻って次の撮影画像データの移動を行う。撮影画像データがない場合（Ｓ４０４のＮＯ側）には、制御部１５は、現在の特定記録媒体よりも優先順位が１つ小さいカードスロット４の記録媒体を特定記録媒体に変更し（Ｓ４０５）、その後にＳ４０７に移行する。
【００５４】
一方、データ量が空き容量を超える場合（Ｓ４０２のＮＯ側）には、制御部１５はデータの移動先を優先順位が１つ高いカードスロット４の記録媒体に変更し（Ｓ４０６）、その後にＳ４０７に移行する。
そして、制御部１５は移動先のカードスロット４の記録媒体が特定記録媒体に該当するか否かを判定する（Ｓ４０７）。特定記録媒体の場合（ＹＥＳ側）には、優先順位の低いカード型記録媒体３に空き容量がないので、制御部１５はデータの移動を終了する。一方、特定記録媒体ではない場合（ＮＯ側）にはＳ４０２に戻って、制御部１５は撮影画像データの移動を続行する。
【００５５】
図９は、「空きカードの作成」の第３例の動作を示す流れ図である。図９の例では、記録容量が最も小さい記録媒体の撮影画像データをすべて他の記録媒体に移動させて、カードスロットを空けることができるようにする。
制御部１５は、編集用データに基づいて最大記録容量が一番小さいカード型記録媒体３を特定記録媒体に決定する（Ｓ５０１）。次に制御部１５は、編集用データに基づいて各カード型記録媒体３の空き容量を検出し、特定記録媒体の撮影画像データの記録先を各カード型記録媒体３に割り当てる（Ｓ５０２）。
【００５６】
そして、制御部１５は、特定記録媒体の撮影画像データをすべて移動させることができるか否かを判定する（Ｓ５０３）。撮影画像データの移動が可能な場合（ＹＥＳ側）には、制御部１５はＳ５０２で割り当てられた記録先に各撮影画像データを移動させる（Ｓ５０４）。これにより、カードスロット４が塞がっている場合に一番容量の小さいカード型記録媒体３を空けて、最大記録容量の大きい記録媒体に差し替えることが可能となる。一方、撮影画像データの移動が不可能な場合（ＮＯ側）には、制御部１５は移動を行うことができない旨の表示を行って、その後に動作を終了する（Ｓ５０５）。
【００５７】
（請求項と実施形態との対応関係）
ここで、請求項と実施形態との対応関係を示しておく。なお、以下に示す対応関係はあくまで参考のために示した解釈であって、本発明の技術的範囲を限定するものではない。
「記録媒体」にはカード型記録媒体３が対応する。「記録媒体挿入部」にはカードスロット４が対応する。「制御部」および「プリント設定部」には制御部１５が対応する。「プリント用記録媒体を接続するコネクタ」にはＤＰＯＦ用メモリスロット２０が対応する。「モニタ装置」にはテレビ２が対応する。「表示インターフェース」には表示インターフェース８が対応する。
【００５８】
（実施形態の補足事項）
以上、本発明を上記の実施形態によって説明してきたが、本発明の技術的範囲は上記実施形態に限定されるものではない。
（１）上記実施形態で撮影画像データに撮影日時がない場合には、制御部１５は、以下の（ａ）〜（ｃ）のようにして撮影画像データの日時を仮設定する。例えば、（ａ）制御部１５はカード型記録媒体３がカードスロット４、データバス１４を介して制御部１５に接続された日時を撮影画像データの日時として仮設定する。（ｂ）撮影日時がない撮影画像データがフォルダに格納されている場合には、制御部１５はフォルダの作成日時を撮影画像データの日時として仮設定する。（ｃ）記録先のカード型記録媒体３に撮影日時がある撮影画像データが混在している場合には、制御部１５はカード型記録媒体３の撮影画像データをファイル名でソートして、その前後に配列された撮影画像データの撮影日時で仮設定を行う。
【００５９】
また、制御部１５は、撮影日時のない撮影画像データを最新の撮影日時の後に配列されるように設定してもよい。あるいは、制御部１５は、別のカード型記録媒体３が接続された時点で、そのカード型記録媒体３の一番古い撮影日時を基準として撮影日時を仮設定するようにしてもよい。
（２）上記実施形態の「空きカードの作成」においても、制御部１５は撮影画像データが撮影日時ごとに配列されるように撮影画像データを移動させて整理するようにしてもよい。
【００６０】
（３）上記実施形態で制御部１５は、指定された撮影画像データを所定のカードスロット４またはＤＰＯＦ用メモリスロット２０のカード型記録媒体３に複写して、撮影画像データのプレゼント用記録媒体を作成できる機能を有していてもよい。
（４）また、上記実施形態の「空きカードの作成」では、撮影画像データの移動によって移動元の記録媒体から撮影画像データは常に消去される。しかし、「空きカードの作成」以外では、撮影画像データの移動後には移動元の記録媒体から撮影画像データが消去される場合のみならず、移動元の記録媒体に撮影画像データがそのまま保持される場合（撮影画像データのコピー）があってもよい。
【産業上の利用可能性】
【００６１】
本発明は、例えば、電子カメラの撮影画像データをテレビ等で再生するためのカード型記録媒体用ビューアに適用することができる。
【図面の簡単な説明】
【００６２】
【図１】本実施形態の画像再生装置のブロック図
【図２】本実施形態の画像再生装置の外観を示す斜視図
【図３】液晶表示部の表示例の図
【図４】編集用データのデータ構造の一部を示す図
【図５】撮影画像データのプリント指定時の一連の動作を示す流れ図
【図６】「撮影日時順での画像データの整理」での一連の動作を示す流れ図
【図７】「空きカードの作成」の第１例の動作を示す流れ図
【図８】「空きカードの作成」の第２例の動作を示す流れ図
【図９】「空きカードの作成」の第３例の動作を示す流れ図
【符号の説明】
【００６３】
１  画像データ管理装置
２  テレビ
３  カード型記録媒体
４  カードスロット
６  画像処理部
７  バッファメモリ
８  表示インターフェース
９  ＵＳＢインターフェース
１０  操作部
１０ａ  スライドショーボタン
１０ｂ  プリントボタン
１０ｃ  削除ボタン
１０ｄ  カーソルキー
１０ｅ  電源ボタン
１０ｆ  再生ボタン
１１  カード用表示部
１１ａ  アクセスランプ
１１ｂ  液晶表示部
１２  前面表示パネル
１４  データバス
１５  制御部
１６  ダミースロット
２０  ＤＰＯＦ用メモリスロット                                                                               
【図１】
2006092210.tif 000003
【図２】
2006092210.tif 000004
【図３】
2006092210.tif 000005
【図４】
2006092210.tif 000006
【図５】
2006092210.tif 000007
【図６】
2006092210.tif 000008
【図７】
2006092210.tif 000009
【図８】
2006092210.tif 000010
【図９】
2006092210.tif 000011